(57)【特許請求の範囲】
【請求項１】
壁面に形成された凹所内に埋込まれて、壁面に取付固定される埋込ボックスと、上記埋込ボックスに結合されて、壁面より露出した状態で取り付けられ、かつ内器ボックスが取付けられた化粧パネルボックスとを組み合わせて構成された壁面設置型電子機器において、
上記埋込ボックス側には、壁面より突出する係止掛片と、ネジ支持突片とを上、下に形成しており、
上記化粧パネルボックス側には、電子部品を内蔵した内器ボックスが取付けられ、上記係止掛片を挿入する引掛孔と、上記ネジ支持突片に対応し、壁面側に斜め上方向へ延出する折曲突片とを形成し、かつ化粧パネルボックスの下方には結合ネジの操作用開口が形成されており、
上記結合ネジは、その先端を上記ネジ支持片に回動可能に止着し、かつネジ部には回転を阻止された締め付けナットが上記ネジ支持突片と上記折曲突片との間に介在するように螺装され、かつネジ頭部が上記折曲突片の下方に位置し、全体としてはネジ頭部を下方にして斜め上方に向かうようにして装着されており、上記ネジ頭部を上記化粧パネルボックスの上記操作開口より治具を挿入して締め付けできる構造となっていることを特徴とする壁面設置型電子機器。
【請求項２】
上記係止掛片とネジ支持突片とが、埋込ボックスの前面に一体的に形成され、上記引掛孔と折曲突片とが化粧パネルボックスに一体的に形成されている構造とした請求項１に記載の壁面設置型電子機器。
【請求項３】
上記折曲突片は上記化粧パネルボックス側の下面に固着された側面視レ字形の第２取付金具によって構成されている構造とした請求項１に記載の壁面設置型電子機器。
【請求項４】
上記結合ネジのネジ部に螺装された締め付けナットは、上記折曲突片の傾斜面に応じた締付け面を形成し、回転止め具を取り付けた構造とした請求項１乃至３のいずれかに記載の壁面設置型電子機器。
【請求項５】
上記結合ネジの頭部とネジ部との間には、ネジ部より径大の締め付け段部を形成している構造とした請求項１乃至４のいずれかに記載の壁面設置型電子機器。
【発明の詳細な説明】
【０００１】
【産業上の利用分野】
この発明は、壁面に形成された凹所内に埋込まれて、壁面に取付固定される埋込ボックスと、上記埋込ボックスに結合されて、壁面より露出した状態で取り付けられ、かつ内器ボックスが取り付けられた化粧パネルボックスとを組み合わせて構成されたロビーインターホンなどの壁面設置型電子機器に関する。
【０００２】
【従来の技術】
従来のロビーインターホンとしては、図６，図７に示すものや、図８に示すものがあり、また、実開平５−２１４７４号公報に記載され、図９乃至図１１に示したものなどがある。
図６，図７に示すロビーインターホンＲ１０は、壁面Ｋに設けられた凹所Ｕに埋め込まれて固定された埋込ボックス１００の前面１０１の上端部に前方斜め上方に向けて屈曲形成された係止掛片１１１が一体に設けられるとともに、下端部に前方に向けて水平向きに折曲形成された取付片１１２が一体に設けられている。一方、化粧パネルボックス１２０内の内器ボックス１３０の下部に、下向きに一体に延設されたＬ字形の折曲突片１３１が形成されている。
【０００３】
そして、これらの取付片１１２と折曲突片１３１に穿設されたねじ孔にゴムワッシャ１４０を介して取付けネジ１５０のネジ部１５１が螺合され、図６に示す状態で、化粧バネルボックス１２０の下板部１２１の開口部１２２にドライバーを挿入して、取付けネジ１５０を締め付け方向に回転させることによって、図７に示すように、内器ボックス１３０を埋込ボックス１００側に引き締めることによって、この内器ボックス１３０を固定して、化粧パネルボックス１２０を壁面Ｋに固定するようにしている。
【０００４】
ところが、このロビーインターホンＲ１０においては、図６，図７に示すように、取付けネジ１５０の締付方向が垂直、つまり壁面Ｋと平行であるので、取付け施工が行い難いという問題があった。
しかも、取付けネジ１５０を締付方向に回転させると、取付金具１５０とゴムワッシャ１４０の摩擦によって、取付けネジ１５０の位置がずれてしまうので、化粧パネルボックス１２０が内器ボックス１３０と一体に壁面Ｋから浮き上がってしまうという問題があった。
【０００５】
図８に示すロビーインターホンＲ２０は、壁面Ｋに設けられた凹所Ｕに埋め込まれて固定された埋込ボックス２００の前面２０１の上端部に前方斜め上方に向けて屈曲形成された係止掛片２１１が一体に設けられるとともに、下端部に前方に向けて外側斜め上向きに屈曲形成された取付片２１２が一体に設けられている。一方、内器ボックス２３０を内部に収納した化粧パネルボックス２２０の下板部２２１には、ボルト挿入孔２２２が設けられ、上板部２２３には、上記係止掛片２１１に対向する係止突部２２４が設けられている。
【０００６】
そして、この化粧パネルボックス２２０の下板部２２１のボルト挿入孔２２２に取付けネジ２５０を挿入し、その頭部２５１を下板部２２１の孔壁部に当接した状態で、ドライバーでこの取付けネジ２５０を締め付け方向へ回転させることによって、ネジ２５０は螺進し、化粧パネルボックス２２０を壁面Ｋに押し付けて固定している。
【０００７】
ところが、このロビーインターホンＲ２０においては、取付けネジ２５０を締めていくと、化粧パネルボックス２２０を上方へ押すこととなり、係止突部２２４と係止掛片２１１との間にがたつきが生じて化粧パネルボックス２２０が壁面Ｋから浮いてしまうという問題があった。
そこで、近時においては、図９〜図１１に示すようなロビーインターホン３０Ｒが提案されている。即ち、このロビーインターホンＲ３０は、壁面Ｋに設けられた凹所Ｕに埋め込まれて固定された埋込みボックス３００の前面３０１に、取付金具３１０が固定され、この取付金具３１０の上端部に前方斜め上方に向けて屈曲形成された係止部３１１が一体に設けられるとともに、下端部に前方斜め下方に向けて屈曲形成されたネジ通し部３１２が一体に設けられている。
【０００８】
一方、電子機器３３０を搭載するパネル３２０の壁側面に取付けられた取付け部材３６０の下端部に、外方斜め下向きに屈曲形成されたネジ螺合部３６１が設けられ、取付金具３１０の上部においてパネル３２０に固定された外周枠３７０を、取付金具３１０の係止部３１１に嵌着するとともに、取付金具３１０の下部においてネジ通し部３１２から取付け部材３６０のネジ螺合部３６１を螺子３５０で斜め上方に螺進させることによって、パネル３２０を壁面Ｋに固定している。
【０００９】
このようなロビーインターホン３０Ｒは、ネジの締め付け操作は良いが、ネジ３５０を締め付けるときに締め過ぎると、ネジ通し部３１２が変形してしまうという問題がある。
また、ネジ３５０を反締め付け方向へ螺退するときに、ネジ３５０がネジ螺合部３６１から抜けてしまい脱落してしまうなどの問題がある。
【００１０】
【発明が解決しようとする課題】
この発明は、上記従来の問題に鑑みてなされたものであって、化粧パネルボックスが壁面から外れたり、浮いたりすることがなく、固定方向を斜め向きとすることによって取付け施工が行い易く、更に取付ボルトが螺退するときに抜けてしまうことがなく、且つ取付けネジの締め付け具合を確認できて取付けに関する部材の変形を防止することができる壁面設置型電子機器を提供することを目的としている。
【００１１】
【課題を解決するための手段】
上記目的を達成するために提案される請求項１の壁面設置型電子機器は、壁面に形成された凹所内に埋込まれて、壁面に取付固定される埋込ボックスと、上記埋込ボックスに結合されて、壁面より露出した状態で取り付けられ、かつ内器ボックスが取付けられた化粧パネルボックスとを組み合わせて構成された壁面設置型電子機器において、上記埋込ボックス側には、壁面より突出する係止掛片と、ネジ支持突片とを上、下に形成しており、上記化粧パネルボックス側には、電子部品を内蔵した内器ボックスが取付けられ、上記係止掛片を挿入する引掛孔と、上記ネジ支持突片に対応し、壁面側に斜め上方向へ延出する折曲突片とを形成し、かつ化粧パネルボックスの下方には結合ネジの操作用開口が形成されており、上記結合ネジは、その先端を上記ネジ支持片に回動可能に止着し、かつネジ部には回転を阻止された締め付けナットが上記ネジ支持突片と上記折曲突片との間に介在するように螺装され、かつネジ頭部が上記折曲突片の下方に位置し、全体としてはネジ頭部を下方にして斜め上方に向かうようにして装着されており、上記ネジ頭部を上記化粧パネルボックスの上記操作開口より治具を挿入して締め付けできる構造としている。
【００１２】
請求項２の壁面設置型電子機器は、上記係止掛片とネジ支持突片とが、埋込ボックスの前面に一体的に形成され、上記引掛孔と折曲突片とが化粧パネルボックスに一体的に形成されている構造としている。
請求項３の壁面設置型電子機器は、上記折曲突片は上記内器ボックスの下面に固着された側面視レ字形の第２取付金具によって構成されている構造としている。
【００１３】
請求項４の壁面設置型電子機器は、上記結合ネジのネジ部に螺装された締め付けナットは、上記折曲突片の傾斜面に応じた締付け面を形成し、回転止め具を取り付けた構造としている。
請求項５の壁面設置型電子機器は、上記結合ネジの頭部とネジ部との間には、ネジ部より径大の締め付け段部を形成している構造としている。
【００１４】
【作用】
請求項１の壁面設置型電子機器によれば、結合ネジのネジ先端がネジ支持突片に回動可能に止着され、締め付けナットが回転を阻止された状態で結合ネジに螺装されている。このため、結合ネジを締め付け方向へ回転させると、この結合ネジは回転はするが螺進せず、この結合ネジに螺合され、回転を阻止されている締め付けナットが下方へ移動する。
【００１５】
更に結合ネジを締め付けると、この折曲突片に締め付けナットにより下方に押される力が作用する。このため内器ボックスとこれに固定された化粧パネルボックスとが下方に押される。したがって、化粧パネルボックス側の内器ボックスの引掛孔に挿入された埋込ボックス側の係止掛片は引掛孔の孔壁で下向きに押されることにより、引掛孔に対する係止掛片の係止状態が強固に保持され、係止掛片が引掛孔から外れることがない。
【００１６】
また、上記締め付けの際には、この折曲突片が壁面に向かって上方向に傾斜していることにより、折曲突片を壁側へ押す力も同時に作用する。そのため折曲突片と内器ボックスを介し化粧パネルボックスは壁側に押されて、浮き上がりが防止される。
請求項２の壁面設置型電子機器によれば、上記係止掛片とネジ支持突片とが、埋込ボックスの前面に一体的に形成され、上記引掛孔と折曲突片とが内器ボックスの裏面に一体的に形成されているので、部品点数を少なくすることができる。
【００１７】
請求項３の壁面設置型電子機器によれば、上記折曲突片が化粧パネルボックス側の下面に固着された側面視レ字形の取付金具によって構成されているので、各部品の製作が行い易い。
請求項４の壁面設置型電子機器によれば、上記結合ネジのネジ部に螺装された締め付けナットが、上記折曲突片の傾斜上面に応じた締付け面を形成し、回転止め具を取付けたものであるため、締め付けナットが正確に且つ広い面積で折曲突片の傾斜上面に接触するので、締め付けナットによる締め付け力が確実に折曲突片に伝達されて、化粧パネルボックスを強固に壁面に固定することができる。
【００１８】
しかも、締め付けナットが回転止め具で回転するのを阻止されているので、締め付けナットは取付けネジの締め付け方向への回転で下方へ正確に移動して折曲突片に当接し、化粧パネルボックスの壁面への固定を確実に行うことができる。請求孔５の壁面設置型電子機器によれば、上記取付けネジの頭部とネジ部との間に、ネジより径大の押し付け段部を設けてあるので、取付けネジを締め付け方向へ回転する際、締め付けナットが折曲突片に接触したときに、取付けネジの押し付け段部も折曲突片に接触するので、締め付けナットのストッパの役割をして、取付けネジの締め付け具合を確認することができて、取付けネジの締め付け過ぎを防ぐことができ、これにより、折曲突片と上記ネジ支持突片の変形を防止することができる。
【００１９】
【実施例】
以下、この発明に係る壁面設置型電子機器の一実施例について、図面を参照しつつ説明する。尚、本実施例では、壁面設置型電子機器としてロビーインターホンについて説明するが、本発明は、これに限らずドアホン子器等にも適用できるものである。
【００２０】
図１〜図４は、第１の実施例のロビーインターホンＲ１を示すものであって、このロビーンインターホンＲ１は、壁面Ｋに形成された凹所Ｕ内に埋込まれ、壁面に取付固定される埋込ボックス１０と、この埋込ボックス１０に結合されて、壁面Ｋより露出した状態で取り付けられた化粧パネルボックス２０とを組み合わせて構成され、化粧パネルボックス２０には、電子部品を内蔵した内器ボックス３０が内部に取付けられている。
【００２１】
埋込ボックス１０の上下に係止掛片１１とネジ支持突片１２とが形成され、一方、化粧パネルボックス２０に固着された金属体４０の上部には、上記係止掛片１１が挿入される引掛孔４１が形成され、且つこの金属体４０の下部に垂下片４２が突設されて、この垂下片４２に、壁面Ｋ側に向けて所定の角度θをもって斜め上向きに延設された折曲突片５１を有する側面視レ字形の取付金具５０が固着されている。
【００２２】
そして、この折曲突片５１にネジ挿入用の凹溝５２（図３参照）が設けられており、この凹溝５２に結合ネジ６０が壁面に向けて斜め上向きに挿入されるようにしてある。
この結合ネジ６０は、その先端をネジ支持突片１２に回動可能に止着し、かつネジ部６１には回転を阻止された締め付けナット７０がネジ支持突片１２と折曲突片５１との間に介在するように螺装され、かつネジ頭部６２が上記折曲突片の下方に位置し、全体としてはネジ頭部６２を下方にして斜め上方に向かうようにして装着されており、このネジ頭部６２を化粧パネルボックス２０の下方に設けられた操作開口２１より治具（図示略）を挿入して締め付けできるようにしてある。
【００２３】
また、この結合ネジ６０には、頭部６１とネジ部６２との間に、ネジ部６２よりも径大の押し付け段部６３が設けられている。
締め付けナット７０は、中央部にネジ孔７２が形成された長板状の形状となっており、折曲突片５１の傾斜面５１ａに応じた締付け面７１が形成され、図４に示す回転止め具８０が取付けられている。
【００２４】
この回転止め具８０には、両端部に係止片部８１，８２が折曲形成されている。
また、結合ネジ６０におけるネジ支持突片１２へ挿入されたネジ部６２の上下部分には、このネジ部６２をネジ支持突片１２に対して抜け止めする一対のＥリング９１，９１が固着されている。
【００２５】
尚、埋込ボックス１０には、内器ボックス３０を嵌め入れるための操作開口部１８（図３参照）が形成されている。
また、埋込ボックス１０には、壁面Ｋの凹所Ｕに埋設した状態で、壁面Ｋにネジ止め固定するための縦長板形状の鍔部１５，１６（図３参照）が前面の左右両端に外向きに突設されている。
【００２６】
次に、上記構成のロビーインターホンＲ１における埋込ボックス１０に化粧パネルボックス２０を取付け固定するときの取付け操作について、図１，図２を参照しつつ説明する。
埋込ボックス１０は、上記のように壁面Ｋに設けられた凹所Ｕに埋設されており、その左右両端部の鍔部１５，１６が壁面Ｋにネジ止め固定されている。
【００２７】
この状態で、図１に示すように、内器ボックス３０が取付けられた化粧パネルボックス２０を、埋込ボックス１０の前面と鍔部１５，１６とを覆うように被せる。
このとき、埋込ボックス１０の係止掛片１１が、金属体４０の引掛孔４１に係入するとともに、埋込ボックス１０のネジ支持突片１２に支持され予め締め付けナット７０が螺合された結合ネジ６０のネジ部６２の基端部を、取付金具５０の折曲突片５１に形成されたネジ挿入用の凹溝５２（図３参照）に前方側（壁面側）から挿入する。
【００２８】
この状態で、化粧パネルボックス２０の下板部２１の操作開口２２に斜め下側からドライバー（図示略）を挿入し、このドライバーで結合ネジ６０を締め付け方向へ回す。すると、この結合ネジ６０は、ネジ支持突片１２に抜け止めされた状態で支持されているので、回転はするが壁面Ｋ側に向けて螺進せずに、この結合ネジ６０に螺合された締め付けナット７０が、取付金具５０の折曲突片５１側へ向けて移動する。
【００２９】
このように、締め付けナット７０が、取付金具５０の折曲突片５１側へ向けて移動すると、図２に示すように、締め付けナット７０の傾斜状の締付け面７１が取付金具５０の折曲突片５１の傾斜上面に当接する。
この当接した状態で、更に取付けネジ６０を締め付け方向へ回すと、締め付けナット７０が下方へ移動して、この締め付けナット７０が当接された取付金具５０が下向きに押され、内器ボックス３０と化粧パネルボックス２０とが下向きに押される。
【００３０】
これにより、埋込ボックス１０の係止掛片１１と化粧パネルボックス２０側の金属体４０の引掛孔４１との係止状態が強固なものとされ、係止掛片１１が引掛孔４１から外れることがない。
また、上記締め付けの際には、折曲突片５１が壁面Ｋに向かって上方向に傾斜していることにより、折曲突片５１を壁側へ押す力も同時に作用する。そのため、折曲突片５１と金属体４０介して化粧パネルボックス２０は壁側に押されて、浮き上がりが防止される。
【００３１】
図５は、本発明の第２の実施例のロビーインターホンＲ２を示すものであって、このロビーインターホンＲ２では、締め付けナット７０Ａが左右対称且つ前後対称の形状に形成されている。
この締め付けナット７０Ａは、結合ネジ６０を締め付け方向へ回したときに、その一部が取付金具５０の折曲突片５１の傾斜上面に当接するようにしてある。
【００３２】
これにより、締め付けナット７０Ａと取付金具５０の折曲突片５１の傾斜上面との間の摩擦が軽減される。
この締め付けナット７０Ａを使用するときには、回転止め具を必要としないので、部品点数を少なくすることができ、構造を簡単化することができる。
上記実施例においては、取付金具５０を設けたものについて説明したが、これに限らず、取付金具５０を設けることなく、折曲突片５１を、金属体４０下部に一体的に形成した構造としてもよい。
【００３３】
【発明の効果】
以上説明したように、この発明に係る壁面設置型電子機器によれば、結合ネジを締め付け方向に回転したときに、締め付けナットを介して、化粧パネルボックスが下向きに押されるので、埋込内器ボックス側の係止掛片と化粧パネルボックス側の内器ボックスに形成された引掛孔との係入状態が外れることがなく、また、化粧パネルボックスが壁面側に向けても押されるので、化粧パネルボックスを壁面に強固に固定することができる。
【００３４】
しかも、固定方向即ち結合ネジをドライバーなどで締め付け方向に回すときの作業が、壁面に対して前方斜め方向から行うことができるので、取付け施工が行い易い。
更に、結合ネジが埋込ボックス側に形成したネジ支持突片に回動可能に止着されているので、抜けることがない。
【００３５】
また、結合ネジにネジ部より径大の押し付け段部を設けたものでは、この押し付け段部が、結合ネジを締め付け方向へ回したときに、化粧パネルボックス側の折曲突片に当接して締め付けナットのストッパの役割をするために、結合ネジの締め付け具合を確認することができて、結合ネジの締め付け過ぎを防ぐことができ、且つ折曲突片とネジ支持突片の変形を防止することができる。
【図面の簡単な説明】
【図１】この発明に係る壁面設置型電子機器の一例としての第１実施例のロビーインターホンにおける結合ボルトによる締め付け前の状態を示す縦断面図である。
【図２】第１実施例のロビーインターホンの結合ネジによる締め付け時の状態を示すものである。
【図３】第１実施例のロビーインターホンの取付け前の状態を示す斜視図である。
【図４】第１実施例のロビーインターホンにおける結合ネジと締め付けナットと回転止め具の取付け状態を示す斜視図である。
【図５】第２実施例のロビーインターホンにおける結合ネジによる締め付け時の状態を示す縦断面図である。
【図６】従来のロビーインターホンの第１例における取付ボルトによる締め付け前の状態を示す縦断面図である。
【図７】従来の第２例のロビーインターホンの取付ボルトによる締め付け時の状態を示す縦断面図である。
【図８】従来のロビーインターホンの第２例を示す縦断面図である。
【図９】従来のロビーインターホンの第３例の下部分を示す縦断面図である。
【図１０】従来の第３例のロビーインターホンの上部分を示す縦断面図である。
【図１１】従来の第３例のロビーインターホンにおけるねじ通し部とねじを示す部分底面図である。
【符号の説明】
Ｒ１，Ｒ２      ロビーインターホン（壁面設置型電子機器）
Ｋ              壁面
Ｕ              凹所
１０            埋込ボックス
１１            係止掛片
１２            ネジ支持突片
２０            化粧パネルボックス
２２            操作開口
３０            内器ボックス
４０            金属体
４１            引掛孔
５０            取付金具
５１            折曲突片
６０            結合ネジ
６１            頭部
６２            ネジ部
６３            押し付け段部
７０，７０Ａ    締め付けナット
７１            締付け面
８０            回転止め具
【図１】
0003551471.tif 000002
【図２】
0003551471.tif 000003
【図３】
0003551471.tif 000004
【図４】
0003551471.tif 000005
【図５】
0003551471.tif 000006
【図６】
0003551471.tif 000007
【図７】
0003551471.tif 000008
【図８】
0003551471.tif 000009
【図９】
0003551471.tif 000010
【図１０】
0003551471.tif 000011
【図１１】
0003551471.tif 000012